(57)【特許請求の範囲】
【請求項１】
光磁気記録媒体と摺接する摺接部を有するヘッド素子と、該ヘッド素子を支持する支持体と、該支持体を固定する固定体とを有し、
前記支持体が弾性部と非弾性部とで形成され、該弾性部が前記固定体側に位置し、該非弾性部又はその近傍に前記ヘッド素子が装着され、
前記支持体の長手方向における、前記ヘッド素子の磁気コア中心位置と前記摺接部の中心位置が略一致し、
前記光磁気記録媒体の径方向における前記摺接部中心位置が、前記ヘッド素子の磁気コア中心位置よりも内周側に存在し、
前記摺接部の摺接面が、前記ヘッド素子の摺動方向に関して複数の曲率面で形成され、該摺接面の中心の曲率半径が最小に設定されて成る
ことを特徴とする光磁気記録用摺動型磁気ヘッド装置。
【請求項２】
前記ヘッド素子が前記支持体に嵌め合わせ方式で装着されて成ることを特徴とする請求項１記載の光磁気記録用摺動型磁気ヘッド装置。
【請求項３】
前記ヘッド素子における摺接部、巻線巻回部及び支持体への装着部が一体成形されて成ることを特徴とする請求項１記載の光磁気記録用摺動型磁気ヘッド装置。
【請求項４】
前記支持体を構成する弾性部と非弾性部が金属板で一体成形され、前記非弾性部の縁が折り曲げられて成ることを特徴とする請求項１記載の光磁気記録用摺動型磁気ヘッド装置。
【請求項５】
光磁気記録媒体と摺接する摺接部を有するヘッド素子と、該ヘッド素子を支持する支持体と、該支持体を固定する固定体とを有し、
前記支持体が弾性部と非弾性部とで形成され、該弾性部が前記固定体側に位置し、該非弾性部又はその近傍に前記ヘッド素子が装着され、
前記支持体の長手方向における、前記ヘッド素子の磁気コア中心位置と前記摺接部の中心位置が略一致し、
前記光磁気記録媒体の径方向における前記摺接部中心位置が、前記ヘッド素子の磁気コア中心位置よりも内周側に存在し、
前記支持体の非弾性部に、前記ヘッド素子の磁性コアを押える弾性コア押え部が一体成形されて成ることを特徴とする光磁気記録用摺動型磁気ヘッド装置。
【請求項６】
前記ヘッド素子へ駆動電流を供給するための配線は、少なくとも前記ヘッド素子から前記支持体の固着部まで被覆電線を使用して成ることを特徴とする請求項１記載の光磁気記録用摺動型磁気ヘッド装置。
【請求項７】
前記ヘッド素子に接続した前記被覆電線は、前記支持体の下面に沿い、支持体の固着側に設けた貫通孔を抜けて支持体上面に沿って配線されて成ることを特徴とする請求項６記載の光磁気記録用摺動型磁気ヘッド装置。
【請求項８】
請求項１記載の光磁気記録用摺動型磁気ヘッド装置を搭載して成ることを特徴とする光磁気記録再生装置。
【請求項９】
請求項５記載の光磁気記録用摺動型磁気ヘッド装置を搭載して成ることを特徴とする光磁気記録再生装置。
【発明の詳細な説明】
【０００１】
【発明の属する技術分野】
本発明は、光磁気記録媒体に接触摺動して光磁気記録を行う光磁気記録用摺動型磁気ヘッド装置、及びこの磁気ヘッド装置を備えた光磁気記録再生装置に関する。
【０００２】
【従来の技術】
光磁気記録用摺動型磁気ヘッド装置を用いた光磁気記録方式としては、垂直磁化膜である光磁気記録層を有する光磁気ディスクを挟んで、一方にレーザ光を照射する光ピックアップを、他方にレーザスポットと対応して光磁気ディスクに摺動する磁界発生手段としての磁気ヘッドを配置し、磁気ヘッドに流す電流の方向を変化させることにより、磁界を変化させる方法が知られている。
そして、記録信号に対応した磁界がレーザスポット付近に形成されることによって、光磁気ディスクの書き換え希望部分が、レーザスポットによりキュリー温度以上に加熱され消磁された後、レーザスポットから移動してキュリー温度以下に低下した時、上記磁界方向に磁化されて、磁気記録が行われ得るようになっている。
【０００３】
上述した光磁気記録用摺動型磁気ヘッド装置としては、例えば図２５に示すように、ヘッド本体２０１と、摺動体２０２を図示しない光磁気ディスク面に加圧する薄い板バネ材２０３と、この板バネ材２０３を固定するベース板２０４とからなり、この板バネ材２０３の一端のジンバル２０５にヘッド本体２０１を取り付けるとともに、板バネ材２０３の他端をベース板２０４に取り付けることにより構成されたものが知られている。
【０００４】
このように構成される磁気ヘッド装置においては、ヘッド本体２０１からのコイル端末を導出するためのフレキシブル配線板２０６が配設されるが、このフレキシブル配線板２０６は、その２本の配線２０７の各一端ランド部を摺動体２０２の上面に突出したボビン端子２０８に挿入してハンダ付けをすることにより電気的に接続される。
このフレキシブル配線板２０６は、板バネ材２０３上に這うように取り付けられており、途中でフレキシブル配線板２０６に設けられた係止用孔２０９を板バネ材２０３の一対の切り起こし片２１０に係合させ、この切り起こし片２１０を折り曲げることにより、固定支持されるようになっている。
【０００５】
また、ヘッド本体２０１は、例えば図２６に示すように、基部２１２、中心磁極コア２１３と側磁極コア１４から成る略Ｅ字状の、いわゆるＥ型コア２１１の中心磁極コア２１３に、コイル２１５を巻回したボビン２１６と、このボビンを支持するフランジ２１７とを装着することにより、構成されている。
そして、このヘッド本体２０１を摺動体２０２の光磁気ディスクに接触摺動する面に対して垂直に設けられた挿入孔２１８に嵌合させる構成となっている。また、ヘッド本体２０１を組み込んだ摺動体２０２は、支持軸２１９によってジンバル２０５に取り付けられる。
【０００６】
【発明が解決しようとする課題】
ところで、上述の光磁気ディスク記録再生装置では、必要な磁界を得るために磁気ヘッド装置の磁性コアを備えて構成される磁気ヘッド素子と光磁気ディスクの摺接面とが、所定の姿勢を保つ必要がある。
従来の磁気ヘッド装置の摺接部は、ヘッド素子の摺動方向に略直線状の摺接部又は複数の接触部を設けて、磁性コアの磁極面と光磁気ディスクの摺接面とが所定の距離を保てる構成としていた。この為、摺接部が設けられた磁気ヘッド素子近傍に、比較的に腰の弱い弾性部を設けることで、磁気ヘッド素子の摺接部を光磁気ディスク面に倣わせる構造が考えられていた。
【０００７】
しかし、必要な磁界を得るために磁気ヘッド装置の支持体の弾性部、即ち、磁性コアを備えた磁気ヘッド素子と光磁気ディスクの摺接面とが所定の姿勢を保つように設けられた支持体の弾性部は、上述したように磁気ヘッド素子の摺接部を光磁気ディスク面に倣わせるように、支持体の弾性部を比較的、腰を弱くして構成する必要があるが、当然のことながらこの部分の耐衝撃性が低下し、外部衝撃を受けた時に曲がってしまい、記録できなくなる恐れが生じる。
【０００８】
また、磁気ヘッド素子を腰の弱い弾性部を介して支持する構成を採る場合、磁気ヘッド素子の跳ね上げ時における外部振動に対する該部分の上下方向の揺れ幅を、機械設計上大きく取る必要がある。このような構成は、光磁気ディスク記録再生装置の薄型化の妨げとなる。
【０００９】
また、支持体へのヘッド素子の固定方法としては、例えば、ヘッド素子と腰の弱い弾性部とを例えば超音波溶着等の手段を用いて固定することが考えられていた。この場合、光磁気記録用摺動型磁気ヘッド装置の組立には、超音波溶着装置等が必要になり、安価な光磁気記録用摺動型磁気ヘッド装置の提供の妨げとなっていた。
【００１０】
一方、光磁気記録用摺動型磁気ヘッド装置では、磁気ヘッド素子のコイルへ駆動電流を供給するための配線が必要になる。通常は、フレキシブルプリント配線基板を支持体に沿って這わし、磁気ヘッド素子に接続する方法、あるいは支持体自体を、例えばＢｅーＣｕ等の導電材料と樹脂によるモールド成形で形成し、支持体を通じて磁気ヘッド素子に電気的に接続する方法がある。しかし、これらの接続方法では、部品費が高価となる等の難点があった。
【００１１】
本発明は、上述の点に鑑み、耐衝撃性を向上し、光磁気記録再生装置の薄型化を可能にし、併せて、安価にして製造、組立ての容易化を可能にした光磁気記録用摺動型磁気ヘッド装置を提供するものである。
本発明は、かかる磁気ヘッド装置を搭載して薄型化を図った光磁気記録再生装置を提供するものである。
【００１２】
【課題を解決するための手段】
本発明に係る光磁気記録用摺動型磁気ヘッド装置は、光磁気記録媒体と摺接する摺接部を有するヘッド素子と、このヘッド素子を支持する支持体と、この支持体を固定する固定体とを有し、支持体を弾性部と非弾性部とで形成し、弾性部を固定体側に位置させ、非弾性部またはその近傍にヘッド素子を装着し、支持体の長手方向における、ヘッド素子の磁気コア中心位置と摺接部中心位置を略一致させると共に、光磁気記録媒体の径方向における摺接部の中心位置を、ヘッド素子の磁気コア中心位置よりも内周側に存在するように構成する。
そして、本発明では、摺接部の摺接面をヘッド素子の摺動方向に関して複数の曲率面で形成し、この摺接面の中心の曲率半径を最小に設定する。
また、本発明では、支持体の非弾性部に、前記ヘッド素子の磁性コアを押える弾性コア押え部を一体成形する。
本発明に係る光磁気記録再生装置は、上述の光磁気記録用摺動型磁気ヘッド装置を搭載して構成する。
【００１３】
本発明の光磁気記録用摺動型磁気ヘッド装置では、支持体を弾性部と非弾性部とで形成し、ヘッド素子を非弾性部またはその近傍に装着するので、支持体としてはヘッド素子に光磁気記録媒体へ当接させるだけの荷重を与える腰の強い弾性部を有した支持体となり、耐衝撃性が大きくなる。腰の強い弾性部を有する支持体であるので、外部衝撃でのヘッド素子の跳ね上げ量が小さくなり、ヘッド素子跳ね上げ時の占有空間が小さくなる。支持体の長手方向における、ヘッド素子の磁性コアの中心位置と摺接部の中心位置を略一致させるので、光磁気記録媒体の上下方向の許容される取付け高さ変動に対する磁極コアと光磁気記録媒体間の間隔の変化が最小限に抑えられる。光磁気記録媒体の半径方向における摺接部の中心位置がヘッド素子の磁性コアの中心位置よりも内周側に存在するので、光磁気記録媒体の周縁ぎりぎりまで情報記録が可能になる。
摺接部の摺接面をヘッド素子の摺動方向に関して複数の曲率面で形成し、この摺接面の中心の曲率半径を最小に設定するとき、光磁気ディスクの上下変動でも磁気コアと光磁気ディスの信号記録層間の間隔を略一定に保持することができる。
また、支持体の非弾性部に、ヘッド素子の磁性コアを押える弾性コア押え部を一体成形するとき、別途のコア押え部材が不要となる。
本発明の光磁気記録再生装置では、外部衝撃での磁気ヘッド素子の跳ね上げ量を小さくし、従ってヘッド素子跳ね上げ時の占有空間を小さくした上記の光磁気記録用摺動型磁気ヘッド装置が搭載されるので、装置の薄型化が可能になる。
【００１４】
【発明の実施の形態】
以下、図面を参照して本発明の光磁気記録用摺動型磁気ヘッド装置の実施の形態を説明する。
【００１５】
図１〜図４は、本発明の光磁気記録用摺動型磁気ヘッド装置の一実施の形態を示す。
本実施の形態に係る光磁気記録用摺動型磁気ヘッド装置１は、図１（平面図）、図２（側面図）、図３（分解斜視図その１）及び図４（分解斜視図その２）に示すように、光磁気記録媒体、本例では光磁気ディスク１００の面に摺接する摺接部２を有する磁気ヘッド素子３と、この磁気ヘッド素子３を支持する支持体（いわゆるヘッド支持体）４と、このヘッド支持体４の一端を固定する固定体５と、ヘッド支持体４に接触してヘッド支持体４、従って磁気ヘッド素子３を光磁気ディスク１００に対して接触、離間するように昇降操作する昇降リフター６とを備えて成る。
【００１６】
ヘッド支持体４は、磁気ヘッド素子３を支持するアームの役割を果たすもので、金属板、例えば厚み数十μｍ〜百数十μｍ程度のバネ鋼板を用いて形成される。ヘッド支持体４は、弾性変形し得る弾性部８と剛体として作用する非弾性部９とが一体に成形され、弾性部８側の端部、即ち弾性変形の動作に影響を与えない端部を固定体５への固着部１０とし、非弾性部９の先端側を磁気ヘッド素子３を支持する取付け部１１として構成される。
即ち、弾性部８は、ヘッド支持体４の屈曲部１３から固着部１０にかけての平板状のバネ鋼板の領域に貫通孔１４を形成し、貫通孔１４を挟む両側部分１５、１５をもって形成される。非弾性部９は、弾性部８から延長するバネ鋼板の両側縁１６を上面側に折り立て剛体に形成される。
【００１７】
ヘッド支持体４における非弾性部９の中間部分には、後述する磁気ヘッド素子３への配線部材（本例では被覆電線７１）を保持するための切り起こし片、本例ではヘッド支持体４の下面側に切り起こした２つの切り起こし片１８が形成される。
【００１８】
ヘッド支持体４の先端側に形成したヘッド素子の取付け部１１は、ヘッド素子３が嵌め合わせ方式、いわゆるスライドスナップ嵌合方式で取付けられるように形成される。即ち、この取付け部１１は、非弾性部９の先端側に磁気ヘッド素子３が収容され得る開口１９を形成し、開口１９の両内側縁にヘッド支持体４の長手方向に沿って夫々複数、本例では各３つの係合爪部２０〔２０Ａ，２０Ｂ，２０Ｃ〕を設け、さらに磁気ヘッド素子３の磁性コアを押さえる弾性コア押え部（コア押えバネ）２１を開口１９内に臨むように且つヘッド支持体下面側に斜めに延長するように一体に成形して形成される。
【００１９】
一方、磁気ヘッド素子３は、図７、図８、図１０（上面から見た斜視図）及び図１１（裏面から見た斜視図）に示すように、磁気コア２３と、コイル２４と、コイル２４が巻回されたコイルボビン２５とから成り、コイルボビン２５の下フランジ２５ｂにこれと一体に光磁気ディスク１００に摺接する摺接部２を形成して構成される。この磁気ヘッド素子３はいわゆる磁界印加部として構成される。
【００２０】
磁気コア２３は、例えばフェライト等の磁性材料から成り、中心磁極コア２３ａとこの中心磁極コア２３ａの両側に設けられた１対の側磁極コア２３ｂ，２３ｃと、これら磁極コア２３ａ，２３ｂ，２３ｃの基部側を連結する連結部２３ｄとを有して全体が略Ｅ字状に形成される。磁気コア２３の中心磁極２３ａは、側磁極２３ｂ，２３ｃよりも若干長く、即ち中心磁極２３ａの先端部が側磁極２３ｂ，２３ｃよりも突出して形成される。この磁気コア２３の中心磁極２３ａから垂直磁界が光磁気ディスク１００の信号記録層（いわゆる光磁気記録層）に対して印加されるようになされる。
【００２１】
コイルボビン２５は、図８、図９Ａ，Ｂに示すように、極めて高精度の成形が可能な樹脂材料で成形してなるボビン本体２５Ａを有し、その中心部に磁気コア２３の中心磁極２３ａが挿入される磁気コア挿入孔２６ａが形成されると共に、側部に磁気コア２３の一方の側磁極２３ｂが挿入される磁気コア挿入孔２６ｂが形成されて成る。コイル２４は、磁気コア挿入孔２６ａを取り囲むようにしてボビン本体２５Ａの周面（いわゆるコイル巻回部２５Ｄ）に巻回される。
【００２２】
ボビン本体２５Ａは、その磁気コア挿入側の面がヘッド支持体４の傾斜に沿うように傾斜して形成され、その傾斜面の磁気コア挿入孔２６ａ，２６ｂを含む領域部分に磁気コア２３を挿入し得る溝２９が形成され、ボビン本体２５Ａの両側面に、夫々上述のヘッド支持体４のヘッド素子取付け部１１における係合爪部２０〔２０Ａ，２０Ｂ，２０Ｃ〕に係合する係合部３０〔３０Ａ，３０Ｂ，３０Ｃ〕が傾斜面に沿うように形成される。
中央の係合部３０Ｂは、その上面に係合爪部２０Ｂが係合し、両側の係合部３０Ａ，３０Ｃは、夫々その下面に係合爪部２０Ａ，２０Ｃが係合するように、且つ、係合部３０Ｂの上面が係合部３０Ａの下面と係合部３０Ｃの下面を結ぶ線より上方に位置するように形成される（図１６参照）。
係合部３０Ａは、ヘッド支持体４のヘッド素子取付け部１１にスライドスナップ方式で嵌合する時に、ヘッド素子３がヘッド支持体４の先端側の所定の位置で係止できるように、鉤型に形成される。
これらの係合部３０〔３０Ａ，３０Ｂ，３０Ｃ〕により、ヘッド支持体４への装着部２８が構成される。
【００２３】
なお、ボビン本体２５Ａには、その一側面に２本の端子ピン２７〔２７Ａ，２７Ｂ〕が植立されており、これら端子ピン２７Ａ，２７Ｂにコイル２４の両端末が巻き付けられ、例えば半田付けされて固定される。
【００２４】
略Ｅ字状に形成された磁気コア２３は、コイルボビン２５に挿入される。
磁気ヘッド素子３においては、コイルボビン２５の底面、即ち下フランジ２５ｂの底面２５ｂｂが光磁気ディスク１００の信号記録層に対向する面になり、磁気コア挿入孔２６ａに挿入された中心磁極コア２３ａがこの信号記録層に対向してコイルボビン２５の底面２５ｂｂに臨むことになる（図８参照）。
【００２５】
磁気ヘッド素子３の光磁気ディスク１００面に摺接する摺接部２は、ボビン本体２５Ａの底面、即ち下フランジ２５ｂの底面２５ｂｂに突出して形成される。摺接部２は、ボビン本体２５Ａと一体成形で形成することができる。
【００２６】
摺接部２は、コイルボビン２５の底面において、ヘッド支持体４の長手方向における磁気ヘッド素子３の磁気コア中心位置、従って中心磁極コア２３ａの中心位置と摺接部２の中心位置とが略一致し、且つ光磁気ディスク１００の径方向における摺接部２の中心位置が、磁気ヘッド素子３の磁気コア中心位置、従って中心磁極コア２３ａの中心位置よりも内周側に存在するように形成される。本例では光磁気ディスク１００の径方向における摺接部２の中心位置が、磁気コア２３の中心磁極コア２３ａの位置よりも内周側に存在するように形成される（図８、図１１参照）。
【００２７】
ここで、図９Ｂに示すように、摺接部２の底面２ａとコイルボビン２５の下フランジ２５ｂの底面２５ｂｂとは若干の段差ｄをもって形成される。この段差ｄと光磁気ディスク１００の表面に形成される保護膜の膜厚の合計が、磁気ヘッド素子３の中心磁極コア２３ａと信号記録層の間隔となり、摺接部２が光磁気ディスク１００に摺接することで、中心磁極コア２３ａと信号記録層との間の距離は、常にこの間隔に保たれる。
【００２８】
摺接部２の底面（光磁気ディスク１００との摺接面）２ａは、磁気ヘッド素子３の摺動方向に関して所要のアールを有する曲面、例えば図１２Ａに示すように、単一曲率面（曲率半径Ｒ0 ）で形成することができる。
一方、図１４に示すように、原理的には摺接部２′を断面三角形に形成し、その頂部を光磁気ディスク１００の表面に点接触した状態であれば、光磁気ディスク１００が上下変動しても上記距離ｄを一定に保つことができる。この原理的構造に近づけるために、例えば図１３に示すように、摺接部２は、その底面をヘッド素子３の摺動方向に関して複数の曲率面で形成し、底面（摺接面）の中心の曲率半径を最小に設定するようにして構成することができる。本例では２つの曲率面で形成し、摺接部２の中心部分の曲率半径Ｒ1 をそれ以外の部分の曲率半径Ｒ2 より小さくして、摺接部２を形成している。この曲率半径Ｒ1 の中央部が光磁気ディスク１００の表面に点接触される。
中心の曲率半径Ｒ1 としては、好ましくは例えば８〜１５ｍｍ程度、それ以外の部分の極率半径Ｒ2 としては、好ましくは例えば１５〜５０ｍｍとすることができる。
単一の曲率半径Ｒ0 とした場合は、例えば１５ｍｍ程度とすることができる。
【００２９】
摺接部２が形成されるコイルボビン２５は、回転する光磁気ディスク１００と相対して摺接するものであるので、摺動性及び耐磨耗性に優れ、軽量であり、しかもモールド成形した場合に高い寸法精度が得られる材料で形成されることが望ましい。
そこで、コイルボビン２５を構成する材料としては、例えば液晶ポリマー、ポリフェニレンサルファイド（ＰＰＳ）、ポリアセタール（ＰＯＭ）、ポリアリレート（ＰＡＲ）、ポリイミド６、ポリアミド６６、ポリエチレンテレフタレート（ＰＥＴ）、ポリブチレンテレフタレート（ＰＢＴ）、超高分子量ポリエチレン（ＵＨＭＷーＨＥ）、高分子ポリエチレン（ＨＭＷーＰＥ）などの合成樹脂材料が用いられる。
【００３０】
なお、ボビン本体２５Ａには耐熱性の良い（通常、摺動性は悪い）樹脂を用い、摺接部２には摺動性の良い（通常は耐熱性が悪い）樹脂を用いて形成することもできる。この場合、２色成形により一体に形成しても良く、或いは２部品で一体に形成しても良い。ボビン本体２５Ａを例えば半田付けの熱に耐え得る耐熱性の良い樹脂で形成するときは、コイルボビン２５の成形後に金属の端子ピン２７を圧入することなく、端子ピン２７を一体としたコイルボビン２５の成形ができる。
【００３１】
ヘッド支持体４を支持固定する固定体５は、図３に示すように、光磁気記録再生装置の装置本体側に一体に取付けられる垂直部４１と、この垂直部４１の上端より略直角に折曲して延長する延長部４２とからなる略Ｌ字形状に形成され、延長部４２に支持体４の位置規制部４３〔４３Ａ，４３Ｂ〕を一体に有して構成される。
固定体５には、ヘッド支持体４の固着部１０を支持固定する固定部４４が略Ｌ字の折曲部分に設けられる。固定部４４では、ヘッド支持体４の弾性部８の弾性変形動作に影響を与えない位置、即ち固着部１０が支持固定される。固定方法としては、ビス止め法、接着法、嵌合法やレーザ溶接法等を用いることができる。一例としてビス止め法にて支持固定される。４５はビス孔である。なお、ヘッド支持体４は固定部４４に対してビス止めと共に、適当箇所において接着剤での固定を併用することも可能である。接着剤としては、熱硬化性樹脂、紫外線硬化樹脂等を用いることができる。
【００３２】
固定体５側の固定部４４においては、その両側にヘッド支持体４の載置面より上に突出する肉厚部４６、４７が形成され、この肉厚部４６、４７がヘッド支持体４の位置決めに供される。
【００３３】
固定体５の位置規制部４３は、磁気ヘッド素子３を昇降リフター６で光磁気ディスク１００から離間するように上昇させたとき、磁気ヘッド素子３のそれ以上の上昇を阻止するためのもので、ヘッド支持体４に対応する位置に延長する一対の規制板部（いわゆる天井板）４３Ａ，４３Ｂから成る。規制板部４３Ａ，４３Ｂのヘッド支持体４側の面は、ヘッド支持体４が入り込むような溝状に形成され、ヘッド支持体４の上方向及び左右方向の動きを規制するように形成される。
【００３４】
また、固定体５の上記折曲部分の内側（即ち、固定部４４の裏面）に昇降リフター６を回動可能に支持する支持部５１が形成される。この支持部５１は、図１８に示すように、後述する線状体を折曲して構成した昇降リフター６（図１９参照）を挿入し回動可能に嵌着できるリフター支持用の挿入溝５２から成る。挿入溝５２は、昇降リフター６の回転軸６３に対して適度なクリアランスを有し、容易に回動できるように形成される。即ち、図１８Ａ、Ｂに示すように、固定部４４の裏面端部５３が下方に突出し、固定部４４の裏面基部側に昇降リフター６が挿入され得る間隔を置いて対向する受け部５４が形成され、この受け部５４と固定部４４間で挿入溝５２が形成され、受け部５４の遊端と、該端部に対向する固定部４４裏面で受け部５４の両側に位置した部分とに、互いに向かい合う方向に突出するリフター脱落防止用の嵌合爪５６、５７が設けられる。この受け部５４と固定部４４との間で上記の昇降リフター６の挿入溝５２が形成される。
固定体５は、樹脂、或いは金属の成形品、本例では樹脂成形品が用いられ、受け部５４の弾性を利用して昇降リフター６の挿入溝５２内への圧入を可能にする。端部５３は補強用に供される。
さらに、固定体５の延長部４２の基部側に昇降リフター６の上昇位置を規制するストッパ部５８が形成される（図３参照）。
【００３５】
昇降リフター６は、図３に示すように、１本の線状体を折り曲げて形成される。本例では、１本の金属線状体６０より成形し、即ち金属線状体６０の中央部分をヘッド支持体４の裏面に接してヘッド支持体４を支える支持部６１とし、その一端をヘッド支持体４の面内で折曲（例えば直角方向に折曲）してヘッド支持体４の裏面に接触する昇降部６２とし、その他端側を同方向に折曲して上記挿入溝５２に嵌合する回転軸６３とし、回転軸６３の端部側を折り返してリフター支持部６４とすると共に、さらにヘッド支持体４の面に直交する面内で折曲（例えば直交方向に折曲）し、力点部となる遊端６５を同面内で折曲して形成される。
金属線状体を折曲加工して成形した昇降リフター６は、それ自体に適度の弾性、即ち後述するヘッド支持体４を跳ね上げて規制板部４３Ａ，４３Ｂに押しつけたときに、規制板部４３Ａ，４３Ｂを変形させずに押し付け力を吸収できる程度の弾性を有するを可とする。
【００３６】
磁気ヘッド素子３の端子ピン２７〔２７Ａ，２７Ｂ〕へ駆動電流を供給するための配線部材として、例えば被覆電線又はフレキシブルプリント基板等を用いることができる。本例では被覆電線７１を用い、被覆電線７１の電線端部を端子ピン２７に例えば半田等で電気的に接続する。被覆電線７１は、端子ピン２７からヘッド支持体４の下面に沿い、ヘッド支持体４の貫通孔１４を通して上面に抜け、固定体５の上面に沿って配線される。
【００３７】
被覆電線７１を用いた場合、被覆電線７１は少なくとも磁気ヘッド素子３からヘッド支持体４の固着部１０まで配線する。即ち、図１及び図２は、被覆電線７１が磁気ヘッド素子３の端子ピン２７から装置本体までを直接接続した例であり、被覆電線７１が固定体５の垂直部４１における固定部４０で挟持的に固定された後、装置本体に接続される。
装置本体の接続部が特別な構造を有し、フレキシブルプリント基板等での接続が必要な場合には、図２２に示すように、固定体５にコネクタ７３を設け、磁気ヘッド素子３の端子ピン２７からコネクタ７３までを被覆電線７１で接続し、装置本体の接続部からコネクタ７３までをフレキシブルプリント基板等の他の電線部材７４で接続するように構成することができる。
【００３８】
被覆電線７１は、ヘッド支持体４、固定体５の上面、あるいは下面に沿って伸ばしても良いが、ヘッド支持体４の弾性変形に負担をかけにくいという点で上記の引き回し方法、即ち、端子ピン２７からヘッド支持体４の下面に沿い、貫通孔１４を抜けて上面に沿わせる方向が望ましい。
【００３９】
次に、上述の本実施の形態に係る光磁気記録用摺動型磁気ヘッド装置１の組立について説明する。
ヘッド支持体４は、図１に示すように、その弾性部８側の端部である固着部１０を固定体５の固定部４４の上面に配置する。このとき、固着部１０は固定部４４の両側の肉厚部４６、４７で幅方向を規制して位置決めされる。この状態で前述の固定方法、本例ではビス７６によりヘッド支持体４の固着部１０と固定体５とを固定し、併せて、樹脂接着剤７７を用いて接着する。長期使用を考慮したときには、樹脂接着剤７７を併用した方が好ましい。
【００４０】
磁気ヘッド素子３のヘッド支持体４への取付けは、嵌め合わせ方式（いわゆるスライドスナップイン方式）で取り付けられる。即ち、図１５及び図１６に示すように、ボビン本体２５にコイル２４を巻回してそのコイル端末を端子ピン２７Ａ，２７Ｂに接続し、ボビン本体２５に磁性コア２３を装着して成る磁気ヘッド素子３を、ヘッド支持体４の先端裏面側から開口１９内に挿入した後（図１５の鎖線図示）、ヘッド支持体４の先端側へスライドして取付ける（図１５の実線図示）。磁気ヘッド素子３の開口１９へ挿入時は、磁気ヘッド素子３のボビン本体両側面の係合部３０Ａ，３０Ｂ，３０Ｃが開口１９の両内側の係合爪部２０Ａ，２０Ｂ，２０Ｃの相互間に入るように行われ、次いで磁気ヘッド素子３をヘッド支持体４の先端側へスライドすることにより、開口１９の係合爪部２０Ａ，２０Ｃが磁気ヘッド素子３の係合部３０Ａ，３０Ｃの下面に入りこみ、同時に係合爪部２０Ｂが係合部３０Ｂの傾斜面に沿って上面に係合する。これによって、係合爪部２０Ａ，２０Ｃが  係合部３０Ａ，３０Ｃの下面を押し上げ、係合爪部２０Ｂが係合部３０Ｂの上面を押し下げるような弾性力が作用して、磁気ヘッド素子３はヘッド支持体４の先端に取付けられる（図１６参照）。
磁気ヘッド素子３は、ヘッド支持体４の開口１９内への取付け後、係合凸部２０Ａが鉤型の係合部３０Ａに係合されるので、逆方向のスライドが阻止され、ヘッド支持体４から外れることがない。
【００４１】
また、磁気ヘッド素子３のボビン本体２５Ａに挿入された磁性コア２３は、ヘッド支持体４側の弾性押さえ部２１により押さえ付けられて、ボビン本体２５に一体に支持される（図１５、図１７参照）。
【００４２】
磁気ヘッド素子３のコイル２４へ駆動電流を供給するための被覆電線７１は、その一端を磁気ヘッド素子３の端子ピン２７に半田等により接続し、ヘッド支持体４の裏面に沿わせ、弾性部８側の貫通孔１４を抜けて上面に沿わせて装置本体側に接続される。或いは、図２２に示すように、端子ピン２７から固定体５のコネクタ７３までを被覆電線７１で接続し、コネクタ７３から装置本体までを他の配線部材７４で接続する。
【００４３】
昇降リフター６は、図１８Ａ、図２０の矢印ａに示すように、その回転軸６３を固定体５の固定部４４裏面側から挿入溝５２に所謂スナップインで嵌合し、回動可能に支持する。挿入溝５２に嵌合された後は、嵌合爪５６、５７により脱落が防止される。昇降リフター６は、固定体５に支持された状態でその端部の昇降部６２が傾斜するヘッド支持体４の裏面に当接し、リフター支持部６４が固定体５側のストッパ部５８の下面に当接してヘッド支持体４のそれ以上の降下を阻止している。
【００４４】
上述の光磁気記録用摺動型磁気ヘッド１を搭載して光磁気記録再生装置を構成することができる。
【００４５】
上述の光磁気記録用摺動型磁気ヘッド装置１では、昇降リフター６の力点部６５が光磁気記録再生装置における装置本体の昇降リフター操作機構に連結される。昇降リフター６は、装置本体の昇降リフター操作機構により力点部６５を上下動、あるいは前後動させることで、その回転軸６３を回転中心として昇降部６２へ力を伝達し、ヘッド支持体４を昇降させることができる。
【００４６】
このとき、力点部６５へ外力が掛からない状態では回転軸６３から先端の自重、即ち昇降部６２と支持部６１の自重で昇降部６２が下降する。昇降部６２が下降したとき、リフター支持部６４が固定体５のストッパ部５８に当接し昇降部６２が所定の下限位置で止まる。これに対して、ヘッド支持体４が跳ね上がった（上昇した）とき、ヘッド支持体４は位置規制部４３に当接して所定の上限位置で止まる。
【００４７】
ここで、例えば外部衝撃等による過剰な力でヘッド支持体４を位置規制部４３に押し付けると規制板部４３Ａ，４３Ｂが弾性変形し所定の位置にならないことや、その状態で耐熱等の環境状態に晒されたときに、規制板部４３Ａ，４３Ｂの高さが変わってしまう不具合がみられる。これを防ぐために、昇降リフター６の金属線状体６０に弾性をもたせ、ヘッド支持体４が規制板部４３Ａ，４３Ｂに押し付けられる力を制御することができる。
【００４８】
そして、光磁気記録再生装置において、光磁気ディスク１００に情報信号の記録を行う際には、図５に示すように、昇降リフター６が下降し、即ち、昇降リフター６の力点部６５が回転軸６３を中心に上方向に回動することによって先端の昇降部６２が下降し、これに伴ってヘッド支持体４も下降して磁界印加部である磁気ヘッド素子３の摺接部２がディスクカートリッジ１０１内の光磁気ディスク１００の主面１００ａと摺接する。
磁気ヘッド素子３の摺接部２が回転操作される光磁気ディスク１００の信号記録層に対応する表面に摺接することで、磁気ヘッド素子３を構成する磁気コア２３、特にその中心磁極コア２３ａが光磁気ディスク１００の信号記録層に対して一定の距離となるように維持される。磁気ヘッド素子３が光磁気ディスク１００に摺接しているとき、昇降リフター６の昇降部６２はヘッド支持体４の裏面から離間される。
【００４９】
光磁気記録再生装置の停止時、再生時、或いは光磁気ディスク１００の着脱操作時には、図６に示すように、昇降リフター６が上昇し、即ち、昇降リフター６の力点部６５が回転軸６３を中心に下方向に回動することによって先端の昇降部６２が上昇し、ヘッド支持体４を跳ね上げ、磁気ヘッド素子３を光磁気ディスク１００の主面１００ａから離間させる。このヘッド支持体４及び磁気ヘッド素子３の昇降リフター６による跳ね上げにより、光磁気ディスク１００の着脱を容易なものとすると同時に、磁気ヘッド素子３が不用意に光磁気ディスク１００のディスクカートリッジ１０１等に衝突するのを防止する。
昇降リフター６によるヘッド支持体４の上昇は、固定体５の規制板部（天井板）４３Ａ，４３Ｂにて阻止され、それ以上に上昇しない。また、ヘッド支持体４が規制板部４３Ａ，４３Ｂの溝に入り込むので、ヘッド支持体４の左右方向の動きも規制される。特に、外部衝撃を受けた場合のヘッド支持体４が規制板部４３Ａ，４３Ｂにより位置規制され、衝撃による不具合を回避できる。
【００５０】
上述した本実施の形態に係る光磁気記録用摺動型磁気ヘッド装置１によれば、次のような効果を奏する。
ヘッド支持体４を１つの弾性部８と１つの非弾性部９で形成し、弾性部８側を固定体５に固定し、非弾性部９に磁気ヘッド素子３を支持するように構成したので、耐衝撃性を著しく向上させることができる。即ち、ヘッド支持体４の弾性部８としては、磁気ヘッド素子３を光磁気ディスク１００の面に当接させるための荷重を与えるだけでよいので比較的に腰の強い弾性部で形成することができ、全体としてヘッド支持体に腰の弱い弾性部を必要とせず、これが為に外部衝撃に強い光磁気記録用摺動型磁気ヘッド装置１が得られる。
【００５１】
また、このように比較的に腰の強い弾性部８を有するヘッド支持体４を用いるので、外部衝撃での磁気ヘッド素子３の跳ね上げ量が小さくなり、従ってヘッド素子跳ね上げ時の占有空間が小さくなり、光磁気記録再生装置の薄型化を可能にする。
【００５２】
ヘッド支持体４の長手方向における、磁気ヘッド素子３の磁性コア２３の中心位置、つまり中心磁極コア２３ａの中心位置と摺接部２の中心位置を略一致して構成するので、光磁気ディスク１００の上下方向の許容される取付け高さ変動に対するスペーシング、いわゆる磁気ヘッド素子３の中心磁極コア２３ａと光磁気ディスク１００の信号記録層との間隔の変化を最小限に抑えることができる。
因みに、ヘッド支持体の長手方向において摺接部が磁気ヘッド素子より先端側に離れている場合には、光磁気ディスクが上下方向に変動したとき、光磁気ディスクと磁気ヘッド素子の摺接部との接触角が変わり、磁気ヘッド素子の磁気コアと光磁気ディスク面との間隔（スペーシング）の変化が本実施の形態よりも大きくなる。
【００５３】
摺接部２が、図１２Ａ，Ｂに示すように、磁気ヘッド素子３の摺動方向と光磁気ディスク１００の半径方向に円弧に形成され、光磁気ディスク１００に対して点接触される構成であるので、中心磁極コア２３ａと光磁気ディスク１００の信号記録層間の間隔の変動を小さく抑えることができる。
摺接部２として、図１３に示すように、磁気ヘッド素子３の摺動方向に関して複数、本例では２つの曲率半径Ｒ1 、Ｒ2 （Ｒ1 ＜Ｒ2 ）で形成し、摺接部２の中心の曲率半径をＲ1 とするときは、中心磁極コア２３ａと光磁気ディスク１００の信号記録層間の間隔の変動をより小さく抑えることができる。即ち、光磁気ディスク１００の上下変動でも中心磁極コア２３ａと光磁気ディスク１００の信号記録層間の間隔を略一定に保持することができる。
【００５４】
磁気ヘッド素子３においては、磁性コア２３の中心磁極コア２３ａがコイルボビン２５のコア挿入孔２６ａから外部に臨むので、光磁気ディスク１００の信号記録層に対してより近接させることができ、情報記録を良好にする。
【００５５】
光磁気ディスク１００の半径方向における摺接部２の中心位置を磁気ヘッド素子３の磁性コア２３の中心位置よりも内周側に存在するように構成することにより、図２３に示すように、光磁気ディスク１００の信号記録層の周縁ぎりぎりまで記録することができる。
【００５６】
ヘッド支持体４の非弾性部９先端への磁気ヘッド素子３の固定をスライドスナップイン方式による組立で行える構成としたので、高価な組立て装置を必要とせずに、容易に組み立てることができる。即ち、磁気ヘッド素子３を、その結合部３０Ａと３０Ｂ間、結合部３０Ｂと３０Ｃ間にヘッド支持体４の開口１９内側の係合爪部２０Ａ，２０Ｂが収まるようにセットし、この状態で係合部３０Ａ，３０Ｂ，３０Ｃを係合爪部２０Ａ，２０Ｂ，２０Ｃ側へスライドさせ、係合部３０Ａと係合爪部２０Ａ、係合部３０Ｂと係合爪部２０Ｂ、係合部３０Ｃと係合爪部２０Ｃを夫々押圧支持することで、磁気ヘッド素子３のヘッド支持体４への取付け状態の安定化を図って、取付けの作業性を向上することができる。
また、磁気ヘッド素子３をヘッド支持体４へ取り付ける際、ヘッド支持体４に一体の弾性抑え部２１により、磁性コア２３を抑えるので、部品点数を増やすことなく磁性コア２３の保持ができる。
【００５７】
磁気ヘッド素子３における摺接部２、巻線巻回部２５Ｄ及びヘッド支持体４への装着部を一体成形で構成するので、磁気ヘッド素子３の全体をコンパクトに構成することができる。
ヘッド支持体４を構成する弾性部８と非弾性部９を金属板で一体成形し、非弾性部９の縁１６を折り曲げた構成とするときは、適切な腰の強さの弾性部８と剛性の非弾性部９とを有するヘッド支持体が得られる。
非弾性部９に磁気ヘッド素子３の磁性コア２３を押える弾性コア押え部２１を一体成形するので、別途にコア押え部材を設ける必要がない。
従って、安価な光磁気記録用摺動型磁気ヘッド装置１を提供することができる。
【００５８】
磁気ヘッド素子３のコイル２４への駆動電流供給用の配線として、被覆電線７１を用い、この被覆電線７１を端子ピン２７からヘッド支持体４の下面に沿い、貫通孔１４を抜けてヘッド支持体４の上面に沿わせるようにして配線することにより、ヘッド支持体４の弾性変形に負担を掛け難くすることができる。
この理由について図２１Ａ〜Ｃを用いて説明する。
【００５９】
図２１Ａは、被覆電線７１をヘッド支持体４の下面に沿って固定体５に固定した例を示す。この構成の場合、ヘッド支持体４が実線位置のフリーな状態から破線位置へ跳ね上げられると、磁気ヘッド素子３はヘッド支持体４の弾性部８（貫通孔１４に対応する位置）を中心として回転するが、被覆電線７１は回転中心が被覆電線７１の屈曲部Ａ点となるために磁気ヘッド素子３を引っ張ることになり、磁気ヘッド素子３の高さ方向の動きに対して大きな負荷変化を生じる。
【００６０】
図２１Ｂは、被覆電線７１をヘッド支持体４の上面に沿って固定体５に固定した例を示す。この構成の場合、ヘッド支持体４が実線位置のフリーな状態から破線位置へ跳ね上げられると、磁気ヘッド素子３はヘッド支持体４の弾性部８（貫通孔１４に対応する位置）を中心として回転するが、被覆電線７１は回転中心が被覆電線７１の屈曲部Ａ点となり、被覆電線７１の剛性のために磁気ヘッド素子３を押すことになり、磁気ヘッド素子３の高さ方向の動きに対して、この場合も大きな負荷変化を生じる。
【００６１】
一方、図２１Ｃは、被覆電線７１をヘッド支持体４の下面に沿い、貫通孔１４から上面に抜け、固定体５の上面に沿わせた例（本実施の形態）を示す。この構成の場合、ヘッド支持体４が実線位置のフリーな状態から破線位置へ跳ね上げられると、磁気ヘッド素子３はヘッド支持体４の弾性部８（貫通孔１４に対応する位置）を中心として回転するが、被覆電線７１には固定体５の上面側で圧縮となり、ヘッド支持体４の下面側で引っ張りとなるため力が相殺され、被覆電線７１の回転中心もヘッド支持体４の回転中心と略同一の場所となる。従って、この構成では記録再生装置のヘッド素子３の高さ方向の動きに対して負荷変化を抑えることができる。
【００６２】
このように、被覆電線７１を端子ピン２７〔２７Ａ，２７Ｂ〕からヘッド支持体４の下面に沿い、貫通孔１４で上面に抜けて固定体５の上面に沿う構成を採用すると、磁気ヘッド素子３が上下動した場合においても、被覆電線７１の負荷が少なく、ヘッド支持体４の本来の弾性力によって磁気ヘッド素子３を光磁気ディスク１００に摺接させることができる。
【００６３】
ヘッド支持体４では固定体５に取付けられる弾性部８側の屈曲部１３から磁気ヘッド素子３が支持される先端部までを非弾性部９で形成され、腰の強い支持体として構成されるので、配線部材として被覆電線７１を用いることができる。
配線部材として被覆電線７１を用いることにより、磁気ヘッド素子３への駆動電流供給手段を安価に提供できる。
【００６４】
昇降リフター６を線状体、例えば金属線状体６０の折曲加工で形成して形成されるので、昇降リフター６自体の構造を簡単化し、その製造を容易にすることができる。この単純構造の昇降リフター６の回転軸６３を固定体５側に形成した挿入溝５２に回動可能に嵌合するようにして昇降リフター機構を構成するので、昇降リフター機能を充分維持しながら、昇降リフター機構自体の構成の簡素化を図ることができ、同時に昇降リフター機構の組立作業性の向上を図ることができる。
昇降リフター６が折曲加工で作られるので、成形金型は固定体５用の１つで済む。従って、昇降リフター機構を安価に提供できる。
【００６５】
昇降リフター６を１本の金属線状体６０から構成するときは、機械的強度を有すると共に、適度の弾性を持たせることができる。これによって、例えば外部衝撃等による過剰な力でヘッド支持体４が位置規制部４３へ押し付けられようとした時にも、昇降リフター６でその過度の押し付け力が吸収され、位置規制部４３の変形等の不具合を回避することができる。
【００６６】
尚、上述の図１では、ヘッド支持体において、弾性部８から支持体先端までを非弾性部９として、その非弾性部９に磁気ヘッド素子３を支持するようにしたが、その他、非弾性部の近傍に磁気ヘッド素子３を支持するように構成することもできる。即ち、例えば図２４に示すように、ヘッド支持体４として、磁気ヘッド素子３の支持部分８１を除いて非弾性部９を形成し、先端の支持部分８１に前述の開口１９を形成し、ここに磁気ヘッド素子３を支持するように構成することもできる。この図２３の構成においても、略同様の作用効果が得られる。
【００６７】
【発明の効果】
本発明に係る光磁気記録用摺動型磁気ヘッド装置によれば、ヘッド素子を支持する支持体に腰の弱い弾性部を必要としないので、耐衝撃性を著しく向上することができる。ヘッド素子の跳ね上げ時の占有空間が小さいので、光磁気記録再生装置の薄型化を可能にする。
支持体の長手方向における、ヘッド素子の磁性コア中心位置と摺接部中心位置を略一致させるので、光磁気記録媒体の上下変動に対するヘッド素子と光磁気記録媒体の信号記録層との間の間隔の変化を最小限に抑えることができ、情報記録を良好にする。
光磁気記録媒体の径方向における摺接部中心位置がヘッド素子の磁性コア中心よりも内周側に存在するので、光磁気記録媒体の周縁ぎりぎりまで情報記録をすることができる。
【００６８】
摺接部の摺接面が、摺接面中心の曲率半径を最小とするように、ヘッド素子の摺動方向に関して複数の曲率面で形成されるので、光磁気記録媒体の上下変動でもヘッド素子と光磁気記録媒体の信号記録層との間の間隔の変動をより小さく抑えることができる。
【００６９】
ヘッド素子を支持体に嵌め合わせ方式で装着するので、ヘッド素子の支持体への取付け状態の安定化を図ることができると共に、その取付け作業性を向上することができる。
ヘッド素子における摺接部、巻線巻回部及び支持体への装着部を一体成形で構成するので、ヘッド素子の全体をコンパクトに構成することができる。
【００７０】
支持体を構成する弾性部と非弾性部を金属板で一体成形し、非弾性部の縁を折り曲げて支持体を構成するので、適切な腰の強さの弾性部と剛性の非弾性部とを有する支持体が得られる。
非弾性部にヘッド素子の磁性コアを押える弾性コア押え部を一体成形するので、別途にコア押え部材を設ける必要がない。
【００７１】
ヘッド素子へ駆動電流を供給するための配線を、少なくともヘッド素子から支持体の固着部まで被覆電線を使用するので、いわゆるヘッド素子への駆動電流供給手段を安価に提供できる。
ヘッド素子に接続した被覆電線を支持体の下面に沿い、貫通孔を抜けて上面に沿って配線するので、支持体の弾性変形に負担が掛からない。
【００７２】
従って、本発明においては、耐衝撃性に優れ、光磁気記録再生装置の薄型化を可能にし、併せて安価にして製造、組立ての容易化を可能にした光磁気記録用摺動型磁気ヘッド装置を提供することができる。
本発明に係る光磁気記録再生装置によれば、ヘッド素子跳ね上げ時の占有空間を小さくした光磁気記録用摺動型磁気ヘッド装置を備えるので、薄型化した光磁気記録再生装置を提供することができる。
【図面の簡単な説明】
【図１】本発明に係る光磁気記録用摺動型磁気ヘッド装置の一実施の形態を示す平面図である。
【図２】図１の光磁気記録用摺動型磁気ヘッド装置の側面図である。
【図３】図１の光磁気記録用摺動型磁気ヘッド装置の分解斜視図である（その１）。
【図４】図１の光磁気記録用摺動型磁気ヘッド装置の分解斜視図である（その２）。
【図５】図１の光磁気記録用摺動型磁気ヘッド装置の一の動作説明図である。
【図６】Ａ  図１の光磁気記録用摺動型磁気ヘッド装置の他の動作説明図である。
Ｂ  図６ＡのＡーＡ線上の断面図である。
【図７】本実施の形態に係る磁気ヘッド素子の分解図である。
【図８】本実施の形態に係る磁気ヘッド素子の断面図である。
【図９】Ａ  本実施の形態に係るコイルを巻回したコイルボビンの平面図である。
Ｂ  その側面図である。
【図１０】本実施の形態に係る磁気ヘッド素子の上面から見た斜視図である。
【図１１】本実施の形態に係る磁気ヘッド素子の裏面から見た斜視図である。
【図１２】Ａ  磁気ヘッド素子の摺接部の一実施の形態の側面図である。
Ｂ  そのＢーＢ線上の断面図である。
【図１３】磁気ヘッド素子の摺接部の他の実施の形態の側面図である。
【図１４】磁気ヘッド素子の摺接部の好ましい原理説明図である。
【図１５】磁気ヘッド素子をヘッド支持体に装着する説明図である。
【図１６】磁気ヘッド素子をヘッド支持体に装着した状態の一部断面とする側面図である。
【図１７】磁気ヘッド素子をヘッド支持体に装着した状態の側面図である。
【図１８】Ａ  固定体における昇降リフターの支持部を示す裏面図である。
Ｂ  固定体における昇降リフターの支持部を示す側面図である。
【図１９】Ａ  昇降リフターの一例を示す平面図である。
Ｂ  昇降リフターの一例を示す側面図である。
【図２０】昇降リフターを固定体の支持部へ取り付ける説明図である。
【図２１】Ａ〜Ｃ  被覆電線の配線の仕方を比較した説明図である。
【図２２】磁気ヘッド素子へ駆動電流を供給するための配線の他の実施の形態を示す構成図である。
【図２３】本実施の形態に係る光磁気記録用摺動型磁気ヘッド装置の動作状態での説明図である。
【図２４】本発明に係る光磁気記録用摺動型磁気ヘッド装置の他の実施の形態を示す要部（ヘッド支持体）の構成図である。
【図２５】従来の光磁気記録用摺動型磁気ヘッド装置の例を示す構成図である。
【図２６】図２５のヘッド素子の分解斜視図である。
【符号の説明】
１・・・光磁気記録用摺動型磁気ヘッド装置、２・・・摺接部、３・・・磁気ヘッド素子、４・・・ヘッド支持体、５・・・固定体、６・・・昇降リフター、８・・・弾性部、９・・・非弾性部、１０・・・固着部、１１・・・取付け部、１４・・・貫通孔、１９・・・開口、２０〔２０Ａ，２０Ｂ，２０Ｃ〕・・・係合爪部、２１・・・弾性コア押え部、２３・・・磁気コア、２４・・・コイル、２５・・・コイルボビン、２５Ａ・・・ボビン本体、２６ａ，２６ｂ・・・コア挿入孔、２７〔２７Ａ，２７Ｂ〕・・・端子ピン、２９・・・溝部、３０〔３０Ａ，３０Ｂ，３０Ｃ〕・・・係合部、４３・・・位置規制部、４３Ａ，４３Ｂ・・・規制板部、４４・・・固定部、５１・・・支持部、５８・・・ストッパ部、６１・・・昇降リフターにおける支持部、６２・・・昇降部、６３・・・回転軸、６５・・・力点部、７１・・・被覆電線、７３・・・コネクタ、７４・・・他の配線部材、１００・・・光磁気ディスク、１０１・・・ディスクカートリッジ。
【図１】
0004273656.tif 000002
【図２】
0004273656.tif 000003
【図３】
0004273656.tif 000004
【図４】
0004273656.tif 000005
【図５】
0004273656.tif 000006
【図６】
0004273656.tif 000007
【図７】
0004273656.tif 000008
【図８】
0004273656.tif 000009
【図９】
0004273656.tif 000010
【図１０】
0004273656.tif 000011
【図１１】
0004273656.tif 000012
【図１２】
0004273656.tif 000013
【図１３】
0004273656.tif 000014
【図１４】
0004273656.tif 000015
【図１５】
0004273656.tif 000016
【図１６】
0004273656.tif 000017
【図１７】
0004273656.tif 000018
【図１８】
0004273656.tif 000019
【図１９】
0004273656.tif 000020
【図２０】
0004273656.tif 000021
【図２１】
0004273656.tif 000022
【図２２】
0004273656.tif 000023
【図２３】
0004273656.tif 000024
【図２４】
0004273656.tif 000025
【図２５】
0004273656.tif 000026
【図２６】
0004273656.tif 000027